(57)【要約】【課題】本願発明の課題は、従来技術が抱える問題を解決することであり、すなわち大規模な設備を要することなく湿潤養生と給熱養生を合わせて行うことができる湿潤給熱養生装置とこれを用いた湿潤給熱養生方法を提供することである。【解決手段】本願発明の湿潤給熱養生装置は、型枠取外し後のコンクリートに対して、湿潤養生及び給熱養生を行う装置であって、養生シートと吸引手段、給水手段、発熱線を備えたものである。このうち吸引手段は、コンクリート表面と養生シートとの間の空気を吸引する手段であり、給水手段は、コンクリート表面と養生シートの間に養生水を流下させる手段である。養生シートと給水手段によってコンクリートの湿潤養生を行うとともに、発熱線が発熱することによってコンクリートの給熱養生を行う。【選択図】図１
2020200652.tif 000002
【特許請求の範囲】
【請求項１】
型枠取外し後のコンクリートに対して、湿潤養生及び給熱養生を行う装置であって、
外側に配置される保温シートと、コンクリート側に配置される裏面シートと、が重ねられた養生シートと、
コンクリート表面に前記養生シートが敷設された状態で、コンクリート表面と該養生シートとの間の空気を吸引する吸引手段と、
コンクリート表面に前記養生シートが敷設され、かつコンクリート表面と該養生シートとの間の空気が前記吸引手段によって吸引された状態で、コンクリート表面と該養生シートの間に養生水を流下させる給水手段と、
前記保温シート及び／又は前記裏面シートに取り付けられた発熱線と、を備え、
前記養生シート及び前記給水手段によってコンクリートの湿潤養生を行うとともに、前記発熱線が発熱することによってコンクリートの給熱養生を行う、
ことを特徴とする湿潤給熱養生装置。
【請求項２】
前記養生シートは、前記保温シートとは異なる材質の断熱シートをさらに含み、該断熱シートが該保温シートの外側に重ねられた、
ことを特徴とする請求項１記載の湿潤給熱養生装置。
【請求項３】
前記発熱線は、２以上の配線ルートで配置され、該配線ルートごとに独立して発熱可能である、
ことを特徴とする請求項１又は請求項２記載の湿潤給熱養生装置。
【請求項４】
湿潤給熱養生装置を用いて、型枠取外し後のコンクリートに対して、湿潤養生及び給熱養生を行う方法であって、
前記湿潤給熱養生装置は、保温シートと裏面シートが重ねられた養生シートと、該保温シート及び／又は該裏面シートに取り付けられた発熱線と、吸引手段と、給水手段と、を有し、
前記裏面シートがコンクリート側となるように、前記養生シートをコンクリート表面に敷設する養生シート敷設工程と、
コンクリート表面に前記養生シートが敷設された状態で、コンクリート表面と該養生シートとの間の空気を、前記吸引手段によって吸引する吸引工程と、
コンクリート表面に前記養生シートが敷設され、かつコンクリート表面と該養生シートとの間の空気が前記吸引手段によって吸引された状態で、コンクリート表面と該養生シートの間に、前記給水手段によって養生水を流下させる給水工程と、
前記発熱線を発熱させる発熱工程と、を備え、
コンクリート表面と前記養生シートの間に養生水が流下することでコンクリートの湿潤養生を行うとともに、前記発熱線が発熱することによってコンクリートの給熱養生を行う、
ことを特徴とする湿潤給熱養生方法。
【請求項５】
コンクリート養生前にコンクリートの温度解析を行うことによって、前記湿潤給熱養生装置による養生後のコンクリートの温度変化を算出する事前解析工程と、
コンクリート養生後に、実際のコンクリートの温度変化を計測する温度計測工程と、を備え、
前記事前解析工程で算出されたコンクリートの温度変化と、前記温度計測工程で計測されたコンクリートの温度変化と、の相違の程度に応じて、前記保温シートの外側にさらに該保温シートを追加設置し、及び／又は前記保温シートの外側に該保温シートとは異なる材質の断熱シートを設置する、
ことを特徴とする請求項４記載の湿潤給熱養生方法。
【請求項６】
前記発熱線は、２以上の配線ルートで配置され、該配線ルートごとに独立して発熱可能であり、
コンクリート養生前にコンクリートの温度解析を行うことによって、前記湿潤給熱養生装置による養生後のコンクリートの温度変化を算出する事前解析工程と、
コンクリート養生後に、実際のコンクリートの温度変化を計測する温度計測工程と、を備え、
前記事前解析工程で算出されたコンクリートの温度変化と、前記温度計測工程で計測されたコンクリートの温度変化と、の相違の程度に応じて、前記配線ルートのうち発熱していない該配線ルートの前記発熱線を追加して発熱させ、又は一部の該配線ルートの該発熱線の発熱を停止する、
ことを特徴とする請求項４又は請求項５記載の湿潤給熱養生方法。
【請求項７】
前記保温シートの厚さ及び材質を含む前記養生シートの仕様や、配置間隔及び発熱量を含む前記発熱線の仕様を変えることによって、複数パターンの前記湿潤給熱養生装置を装置タイプとして設定し、該装置タイプごとに養生後のコンクリートの温度変化の実績値を取得し、さらに該装置タイプごとにコンクリートの温度解析を行うことによって、該装置タイプごとの温度解析パラメータを設定するパラメータ設定工程と、
前記装置タイプごとの前記温度解析パラメータを用いてコンクリートの温度解析を行うことによって、前記装置タイプを計画する計画工程と、をさらに備え、
前記養生シート敷設工程では、前記計画工程で計画された前記装置タイプの前記養生シートを敷設し、
前記発熱工程では、前記計画工程で計画された前記装置タイプの前記発熱線を発熱させる、
ことを特徴とする請求項４乃至請求項６のいずれかに記載の湿潤給熱養生方法。
【発明の詳細な説明】
【技術分野】
【０００１】
本願発明は、型枠取外し後のコンクリートの養生に関する技術であり、より具体的には、湿潤養生と給熱養生を合わせて行うことができる湿潤給熱養生装置とこれを用いた湿潤給熱養生方法に関するものである。
【背景技術】
【０００２】
コンクリートは鋼材とともに最も重要な建設材料のひとつであり、ダム、トンネル、橋梁といった土木構造物や、集合住宅、オフィスビルなどの建築構造物をはじめ、様々な構造物に用いられている。このコンクリート構造物は、あらかじめ工場等で製作されて所定の場所まで運搬されることもあるが、一般的な土木構造物や建築構造物の場合、所定の場所（現場）で直接構築されることが多い。いずれにしろ、セメントと水、骨材等を練り混ぜた状態のコンクリート（フレッシュコンクリート）を型枠の中に打ち込み、コンクリートの硬化を待って型枠を取り外すことでコンクリート構造物は構築される。
【０００３】
コンクリートは時間の経過とともに硬化していく材料であり、水とセメントが反応（水和反応）することによって内部温度が上昇するとともにその強度も増していく。つまりコンクリートが目的の強度を発揮するには適当量の水分を必要とするが、日光の直射による温度上昇や風等による乾燥に伴って、打込み直後のコンクリートから水分が蒸発することもある。コンクリートからの水分蒸発は、セメントの水和反応を阻害するだけでなく、プラスチック収縮ひび割れが生じるなど、その品質に悪影響を与える要因となる。そこで、打込み後のコンクリートの湿潤状態を維持するため、通常は「湿潤養生」が行われる。
【０００４】
従来、表面にコンクリート養生マットを敷設し、この養生マットに散水を行う湿潤養生が主流であった。この従来手法では、一定量の水分を維持するため定期的に養生マットに散水しなければならなかったが、近年開発されたアクアカーテン（登録商標）工法によれば定期的に散水することなく湿潤状態を保つことができる。このアクアカーテン（登録商標）工法は給水養生工法のひとつであり、具体的には、型枠取外し後のコンクリート表面を養生シートで覆い、養生シート内の空気を吸引することによって養生シート内を負圧とし、その状態でコンクリート表面と養生シートの間に養生水を常時流下させる方法である。
【０００５】
上記したとおりコンクリートは、水和反応による内部温度の上昇に伴ってその強度が増していく。そのため、打込み後のコンクリート温度が極端に低く、あるいはコンクリート養生中に低外気温が連続すれば、コンクリート強度の発現速度が遅延することもある。特に、初期凍害を経験したコンクリートは目的の強度を発現できないことが知られている。コンクリート強度の発現速度が遅延すると後続の工程に影響が出るし、コンクリートが目的の強度を発現しないと構造物そのものが要求仕様を満たさないこととなる。そこで、コンクリートを打ち込む環境によっては、打込み後のコンクリートに対して熱を加える給熱養生（加熱養生）が行われる。
【０００６】
給熱養生を行うにあたって、コンクリートの周囲をテントなどの仮囲いで覆いその内部空間に給熱することもあるが、ロスが生じるなど熱効率が悪く、しかも比較的大掛かりな設備を要することからその分コスト高となる。そこで、様々な手法による給熱養生がこれまで提案されており、例えば特許文献１では加熱された蓄熱材を用いた給熱養生について提案している。カバー筐体の内側に蓄熱材を設置し、この蓄熱材を加熱したうえで型枠取外し前のコンクリートをカバー筐体で覆うことによって給熱養生を行うわけである。
【先行技術文献】
【特許文献】
【０００７】
【特許文献１】特開２０１８−１３５７１１号公報
【発明の概要】
【発明が解決しようとする課題】
【０００８】
セメントが完全に水和するのに必要な水量は、セメント量の約４０％である（２５％程度がセメントと化学的に結合し、残りの１５％程度がゲル水として吸着される）といわれている。そして、水和反応を促進するには、空隙に水が満たされていることが理想であって、自己乾燥を防ぐため外部から十分な水を常時供給することが、コンクリートの強度増進や密実さの向上に役立つとされている。この点、定期的に散水することなく常に湿潤状態を保つことができるアクアカーテン（登録商標）工法は、従来の養生マットによる湿潤養生に比して極めて優れている。
【０００９】
ところで、既述したとおりコンクリートを打ち込む環境（例えば、寒中コンクリートの打込みなど）によっては、打込み後のコンクリートに対して熱を加える給熱養生が行われる。そしてこの場合も、水和反応の阻害防止のため、プラスチック収縮ひび割れを防ぐため、すなわち打込み後のコンクリートの湿潤状態を維持するためには、やはり湿潤養生が行われる。すなわち、湿潤養生と給熱養生の両方が必要になるケースがある。
【００１０】
ところが、これまで湿潤養生と給熱養生を合わせて行うことができる養生技術が提案されることはなかった。アクアカーテン（登録商標）工法は、湿潤養生を行うことはできるが給熱養生を行うことができず、もちろん従来の養生マットによる湿潤養生も、やはり給熱養生を行うことができない。他方、コンガード（登録商標）などの加熱養生シートや電熱マットは、給熱養生を行うことはできるが湿潤養生を行うことができないし、特許文献１の技術も、型枠内のコンクリートを対象とするためやはり湿潤養生を行うことができない。コンクリートの周囲を仮囲いで覆う給熱養生と、アクアカーテン（登録商標）工法などを組み合わせることも考えられるが、この場合は、既述したとおり熱効率が悪いうえ余分なコストが掛かるという問題が生じる。
【００１１】
本願発明の課題は、従来技術が抱える問題を解決することであり、すなわち大規模な設備を要することなく湿潤養生と給熱養生を合わせて行うことができる湿潤給熱養生装置とこれを用いた湿潤給熱養生方法を提供することである。
【課題を解決するための手段】
【００１２】
本願発明は、アクアカーテン（登録商標）工法によって湿潤養生を行うとともに、発熱線によって給熱養生を行う、という点に着目してなされたものであり、これまでにない発想に基づいて行われた発明である。
【００１３】
本願発明の湿潤給熱養生装置は、型枠取外し後のコンクリートに対して、湿潤養生及び給熱養生を行う装置であって、養生シートと吸引手段、給水手段、発熱線を備えたものである。このうち養生シートは、外側に配置される保温シートとコンクリート側に配置される裏面シートが重ねられたシート状のものであり、吸引手段は、コンクリート表面に養生シートが敷設された状態でコンクリート表面と養生シートとの間の空気を吸引する手段である。また給水手段は、コンクリート表面に養生シートが敷設され、かつコンクリート表面と養生シートとの間の空気が吸引手段によって吸引された状態で、コンクリート表面と養生シートの間に養生水を流下させる手段である。なお発熱線は、保温シートと裏面シートの両方あるいはどちらか一方に取り付けられる。そして、養生シートと給水手段によってコンクリートの湿潤養生を行うとともに、発熱線が発熱することによってコンクリートの給熱養生を行う。
【００１４】
本願発明の湿潤給熱養生装置は、断熱シート（ただし保温シートとは異なる材質）を有する養生シートを備えたものとすることもできる。なお断熱シートは、保温シートの外側に重ねられる。
【００１５】
本願発明の湿潤給熱養生装置は、発熱線が２以上の配線ルートで配置されたものとすることもできる。この場合の発熱線は、配線ルートごとに独立して発熱可能である。
【００１６】
本願発明の湿潤給熱養生方法は、型枠取外し後のコンクリートに対して、本願発明の湿潤給熱養生装置を用いて湿潤養生と給熱養生を行う方法であって、養生シート敷設工程と吸引工程、給水工程、発熱工程を備えた方法である。このうち養生シート敷設工程では、裏面シートがコンクリート側となるように養生シートをコンクリート表面に敷設し、吸引工程では、コンクリート表面に養生シートが敷設された状態でコンクリート表面と養生シートとの間の空気を吸引手段によって吸引する。また給水工程では、コンクリート表面に養生シートが敷設され、かつコンクリート表面と養生シートとの間の空気が吸引手段によって吸引された状態で、給水手段によってコンクリート表面と養生シートの間に養生水を流下させる。そして、コンクリート表面と養生シートの間に養生水が流下することでコンクリートの湿潤養生を行うとともに、発熱線が発熱することによってコンクリートの給熱養生を行う。
【００１７】
本願発明の湿潤給熱養生方法は、事前解析工程と温度計測工程をさらに備えた方法とすることもできる。事前解析工程では、コンクリート養生前にコンクリートの温度解析を行うことによって湿潤給熱養生装置による養生後のコンクリートの温度変化を算出し、温度計測工程では、コンクリート養生後に実際のコンクリートの温度変化を計測する。そして、事前解析工程で算出されたコンクリートの温度変化と、温度計測工程で計測されたコンクリートの温度変化との相違の程度に応じて、保温シートの外側にさらに保温シートを追加設置し、これに代えて（あるいは加えて）保温シートの外側に断熱シート（ただし保温シートとは異なる材質）を設置する。
【００１８】
本願発明の湿潤給熱養生方法は、発熱線が２以上の配線ルートで配置された本願発明の湿潤給熱養生装置を用いる方法とすることもできる。この場合、事前解析工程で算出されたコンクリートの温度変化と、温度計測工程で計測されたコンクリートの温度変化との相違の程度に応じて、配線ルートのうち発熱していない配線ルートの発熱線を追加して発熱させ、あるいは一部の配線ルートの発熱線の発熱を停止する。
【００１９】
本願発明の湿潤給熱養生方法は、パラメータ設定工程と計画工程をさらに備えた方法とすることもできる。パラメータ設定工程では、装置タイプを設定し、その装置タイプごとに養生後のコンクリートの温度変化の実績値を取得し、さらに装置タイプごとにコンクリートの温度解析を行うことによって、装置タイプごとの温度解析パラメータを設定する。なお装置タイプは、保温シートの厚さ及び材質を含む養生シートの仕様や、配置間隔及び発熱量を含む発熱線の仕様を変えることによって決められる湿潤給熱養生装置のパターンであり、２以上のパターンの装置タイプが設定される。また計画工程では、装置タイプごとの温度解析パラメータを用いてコンクリートの温度解析を行うことによって、装置タイプを計画する。この場合、養生シート敷設工程では、計画工程で計画された装置タイプの養生シートを敷設し、発熱工程では、計画工程で計画された装置タイプの発熱線を発熱させる。
【発明の効果】
【００２０】
本願発明の湿潤給熱養生装置、及び湿潤給熱養生方法には、次のような効果がある。
（１）大規模な設備を要することなく、湿潤養生と給熱養生を合わせて行うことができる。
（２）アクアカーテン（登録商標）工法によって湿潤養生を行うことから、効率的かつ効果的に湿潤状態を保つことができる。
（３）事前の温度解析によるコンクリートの温度変化と、実際に測定したコンクリートの温度変化を比較することで、例えば修正熱伝導率によって評価するなど給熱養生の効果を定量的に把握することができる。
【図面の簡単な説明】
【００２１】
【図１】型枠取外し後のコンクリートに本願発明の湿潤給熱養生装置を設置した状態を模式的に示すモデル図。
【図２】コンクリート表面に養生シートを敷設した状態を模式的に示す部分断面図。
【図３】（ａ）は折り返しながら鉛直方向に１１列で配置された発熱線を示す正面図、（ｂ）は折り返しながら水平方向に７列で配置された発熱線を示す正面図。
【図４】（ａ）は２重の裏面シートの間に固定された発熱線を示す部分断面図、（ｂ）は保温シートと裏面シートの間に固定された発熱線を示す部分断面図。
【図５】第１の配線ルートと第２の配線ルートの２つの配線ルートで配置した発熱線を示す正面図。
【図６】（ａ）は３重の保温シートを重ねて構成された養生シートを示す部分断面図、（ｂ）は保温シートの外側に断熱シートを重ねて構成された養生シートを示す部分断面図。
【図７】本願発明の湿潤給熱養生方法の主な工程を示すフロー図。
【図８】本願発明の湿潤給熱養生方法のうち計画準備工程の主な手順を示すフロー図。
【図９】設定された複数種類の装置タイプの例を示すモデル。
【図１０】（ａ）は保温シートを１重とした装置タイプにおける温度変化を示すグラフ図、（ｂ）は本願発明の湿潤給熱養生装置を用いることなく養生したケースにおける温度変化を示すグラフ図。
【図１１】（ａ）は保温シートを３重とした装置タイプにおける温度変化を示すグラフ図、（ｂ）は保温シートにアルミシートを重ねた装置タイプにおける温度変化を示すグラフ図。
【図１２】本願発明の湿潤給熱養生方法のうち養生工程の主な手順を示すフロー図。
【発明を実施するための形態】
【００２２】
本願発明の湿潤給熱養生装置、及び湿潤給熱養生方法の実施形態の例を図に基づいて説明する。
【００２３】
１．全体概要
本願発明は、アクアカーテン（登録商標）工法を利用した技術であり、養生シートに発熱線を取り付けることを特徴とする発明である。効率的かつ効果的にコンクリートの湿潤状態を保つことができるアクアカーテン（登録商標）工法に加え、発熱線を備えることによってコンクリートの給熱養生も行うことができるわけである。
【００２４】
アクアカーテン（登録商標）工法は、コンクリートの給水養生工法として広く知られた工法である。詳しくは、型枠取外し後のコンクリート表面を養生シートで覆い、養生シート内の空気を吸引することによって養生シート内を負圧とし、その状態でコンクリート表面と養生シートの間に養生水を流下させる給水養生工法である。
【００２５】
２．湿潤給熱養生装置
本願発明の湿潤給熱養生装置について、図を参照しながら詳しく説明する。なお、本願発明の湿潤給熱養生方法は、本願発明の湿潤給熱養生装置を用いて行う方法であり、したがってまずは本願発明の湿潤給熱養生装置について説明し、その後に本願発明の湿潤給熱養生方法について説明することとする。
【００２６】
図１は、型枠取外し後のコンクリートＣＯに本願発明の湿潤給熱養生装置１００を設置した状態を模式的に示すモデル図である。本願発明の湿潤給熱養生装置１００は、養生シート１１０と吸引手段、給水手段、発熱線を含んで構成される。図１に示すように吸引手段は、ポンプなどの吸気装置１２１と吸気管１２２を含んで構成することができ、また給水手段は、水中ポンプなどの送水装置１３１と送水管１３２、そして養生水供給管１３３を含んで構成することができる。
【００２７】
吸引手段は、コンクリートＣＯ表面に敷設した養生シート１１０内の空気（つまりコンクリートＣＯ表面と養生シート１１０の間の空気）を吸引する手段であり、具体的には、養生シート１１０の一部を貫通した吸気管１２２を通じて吸気装置１２１が養生シート１１０内の空気を吸引する。これにより養生シート１１０内が負圧となり、コンクリートＣＯと養生シート１１０がより密接（密着）するわけである。
【００２８】
吸引手段は、コンクリートＣＯに密接（密着）した養生シート１１０内（つまりコンクリートＣＯ表面と養生シート１１０の間）に養生水を流下させる手段であり、例えば図１に示すように、水槽ＷＴに貯留した養生水を送水装置１３１が汲み上げ、さらに送水装置１３１が送水管１３２を通じて養生水供給管１３３に送り、養生シート１１０の内に敷設された養生水供給管１３３から養生シート１１０内に養生水を流下させる構成とすることができる。この養生水供給管１３３はコンクリートＣＯ表面に沿って（図１では紙面奥行方向に）配置され、管内に送られた養生水は養生水供給管１３３に設けられる小孔を通じて養生シート１１０内に流下していく。なお、養生シート１１０内を流下した養生水を、空気とともに吸気装置１２１が吸引する場合は、図１に示すように吸引した養生水を水槽ＷＴに戻す構成としてもよい。
【００２９】
図２は、コンクリートＣＯ表面に養生シート１１０を敷設した状態を模式的に示す部分断面図である。この図に示すように養生シート１１０は、保温シート１１１と裏面シート１１２を重ね合わせた多重シートであり、裏面シート１１２がコンクリートＣＯ側（つまり保温シート１１１が外気側）となるように敷設されるものである。なお保温シート１１１としては、気泡緩衝材といった保温性能を有するシート状のものを利用することができ、一方の裏面シート１１２は、例えば不織布製のシートを利用することができる。
【００３０】
また図２に示すように、養生シート１１０の内側（コンクリートＣＯ側）には、発熱線１４０が取り付けられる。この発熱線１４０は、型枠取外し後のコンクリートＣＯに対して給熱することができるものであり、例えば、特に農業用として多用されている温床線などを利用することができる。発熱線１４０は文字どおり線状のものであるから、対象とするコンクリートＣＯ範囲を養生するためには、図３に示すように平面的に広く配置するとよい。例えば図３（ａ）では、折り返しながら鉛直方向に複数列（図では１１列）が配置され、図３（ｂ）では、折り返しながら水平方向に複数列（図では７列）が配置されており、それぞれ１個の電源装置ＢＴで発熱線１４０を発熱させる構成としている。
【００３１】
発熱線１４０は、養生シート１１０の内側に取り付けられるのであれば、保温シート１１１のみに固定することもできるし、裏面シート１１２のみに固定することもできるし、あるいは保温シート１１１と裏面シート１１２の両方に固定することもできる。例えば、図４（ａ）に示すように養生シート１１０が２重の裏面シート１１２で構成される場合は、これら裏面シート１１２の間に発熱線１４０を固定することもできるし、あるいは図４（ｂ）に示すように養生シート１１０が１重の裏面シート１１２で構成される場合は、保温シート１１１と裏面シート１１２の間に発熱線１４０を固定することもできる。なお、養生シート１１０の内側に発熱線１４０が取り付けられ、すなわち養生水供給管１３３から流下してくる養生水に発熱線１４０が接触する可能性があることから、発熱線１４０の周囲は絶縁性の材料（ビニール材など）で被覆するとよい。
【００３２】
発熱線１４０を平面的に配置するにあたっては、図３に示すように１の配線ルート（つまり、１個の電源装置ＢＴと１本の発熱線１４０からなる組み合わせ）で配置することもできるし、２以上の配線ルートで配置することもできる。例えば図５では、第１の電源装置ＢＴａと第１の発熱線１４０ａ（図では実線で示す）からなる第１の配線ルート、そして第２の電源装置ＢＴｂと第２の発熱線１４０ｂ（図では破線で示す）からなる第２の配線ルートの２つの配線ルートで発熱線１４０を配置している。このように２以上の配線ルートで発熱線１４０を配置すると、それぞれ配線ルートごとに独立して発熱することができ、その結果、養生中に発熱量の増減が可能となるうえ、故障など不測の事態が生じても柔軟に対応できる。
【００３３】
図４（ａ）では、２重の裏面シート１１２で構成される養生シート１１０の例を示しているが、図６（ａ）に示すように養生シート１１０は、２以上（図では３重）の保温シート１１１を重ねて構成することもできる。あるいは図６（ｂ）に示すように、保温シート１１１の外側（コンクリートＣＯとは反対側）に断熱シート１１３を重ねて養生シート１１０を構成することもできる。この場合、断熱シート１１３は、アルミシートなど保温シート１１１とは異なる材質のものとするとよい。
【００３４】
３．湿潤給熱養生方法
次に本願発明の湿潤給熱養生方法について図を参照しながら説明する。なお、本願発明の湿潤給熱養生方法は、ここまで説明した湿潤給熱養生装置１００を使用して行う方法であり、したがって湿潤給熱養生装置１００で説明した内容と重複する説明は避け、本願発明の湿潤給熱養生方法に特有の内容のみ説明することとする。すなわち、ここに記載されていない内容は、「２．湿潤給熱養生装置」で説明したものと同様である。
【００３５】
本願発明の湿潤給熱養生方法は、図７に示すように計画準備工程（Ｓｔｅｐ１００）と養生工程（Ｓｔｅｐ２００）に大別することができる。このうち計画準備工程（Ｓｔｅｐ１００）は、後述するように型枠取外し後のコンクリートＣＯの温度解析を行うためのパラメータを得ることが主な目的である。したがって、このパラメータが既に得られている現場では、改めて計画準備工程（Ｓｔｅｐ１００）を行う必要はなく、すなわち計画準備工程（Ｓｔｅｐ１００）を省略して養生工程（Ｓｔｅｐ２００）のみを行うこともできる。以下、計画準備工程（Ｓｔｅｐ１００）と養生工程（Ｓｔｅｐ２００）についてそれぞれ詳しく説明する。
【００３６】
（計画準備工程）
図８は、本願発明の湿潤給熱養生方法のうち計画準備工程（Ｓｔｅｐ１００）の主な手順を示すフロー図である。この図に示すように、まずは複数種類の「装置タイプ」を設定する（Ｓｔｅｐ１０１）。ここで装置タイプとは、本願発明の湿潤給熱養生装置１００の仕様（規格）を適宜変更して設定されるものであり、いわば湿潤給熱養生装置１００の仕様パターンである。例えば、保温シート１１１の厚さや材質、保温シート１１１の枚数（重ねる数）を含む養生シート１１０の仕様（規格）を種々変更したり、あるいは配置間隔や発熱量を含む発熱線１４０の仕様を種々変更したりすることによって、種々の装置タイプを設定することができる。図９では、保温シート１１１を１重とし、発熱線を１５０ｍｍ間隔で鉛直配置するパターン（仕様）を「装置タイプＮｏ．０１」、保温シート１１１を１重とし、断熱シートとしてアルミシートを重ね、発熱線を１５０ｍｍ間隔で鉛直配置するパターン（仕様）を「装置タイプＮｏ．０２」、保温シート１１１を３重とし、発熱線を２００ｍｍ間隔で鉛直配置するパターン（仕様）を「装置タイプＮｏ．０３」としている。
【００３７】
複数種類の装置タイプを設定すると、設定した装置タイプごとに実際にコンクリートＣＯの養生を行い（Ｓｔｅｐ１０２）、あらかじめコンクリートＣＯに設置した温度計測装置（例えば熱電対）によってコンクリートＣＯの温度変化を計測する（Ｓｔｅｐ１０３）。そして、例えば修正熱伝達率ηなどのパラメータを装置タイプごとに決定していく。具体的には、装置タイプごとにパラメータを仮に設定し（Ｓｔｅｐ１０４）、そのパラメータを用いて温度解析を行う（Ｓｔｅｐ１０５）。この温度解析で得られたコンクリートＣＯの温度変化と、実際の計測（Ｓｔｅｐ１０３）により得られたコンクリートＣＯの温度変化とを照らし合わせ、相当程度に相違すればパラメータを変更して繰り返し温度解析を行い（Ｓｔｅｐ１０５）、相当程度に一致すればそのパラメータを当該装置タイプのパラメータとして決定する（Ｓｔｅｐ１０６）。
【００３８】
図１０（ａ）は、保温シート１１１を１重とした「装置タイプＴ１」に関する温度変化である。なお、この図のうち「ＴＥＭＰ−１ｆ」は実際の計測（Ｓｔｅｐ１０３）により得られたコンクリートＣＯ表面付近（表面から５ｃｍ）の温度変化を示し、「ＴＥＭＰ−１ａ」はパラメータを仮設定して温度解析を行った（Ｓｔｅｐ１０５）コンクリートＣＯ表面付近（表面から５ｃｍ）の温度変化を示し、「ＴＥＭＰ−Ｃ」は実際の計測（Ｓｔｅｐ１０３）により得られたコンクリートＣＯ中心の温度変化を示している。この図では、実測による温度変化と解析による温度変化が相当程度に一致したと判断され、装置タイプＴ１の修正熱伝達率η（パラメータ）の値が５．７（ｗ／ｍ２・℃）と決定された。
【００３９】
なお、参考までに本願発明の湿潤給熱養生装置１００を用いないケースの試験施工及びパラメータ決定も行った。その結果が図１０（ｂ）であり、「ＴＥＭＰ−０ｆ」は実際の計測（Ｓｔｅｐ１０３）により得られたコンクリートＣＯ表面付近（表面から５ｃｍ）の温度変化を示し、「ＴＥＭＰ−０ａ」はパラメータを仮設定して温度解析を行った（Ｓｔｅｐ１０５）コンクリートＣＯ表面付近（表面から５ｃｍ）の温度変化を示している。そして、このケースでは修正熱伝達率η（パラメータ）の値が１４（ｗ／ｍ２・℃）と決定された。装置タイプＴ１の修正熱伝達率η（パラメータ）の値が５．７（ｗ／ｍ２・℃）であることを考えると、本願発明の湿潤給熱養生装置１００を用いる養生方法は顕著な保温効果や給熱効果を奏することが理解できる。
【００４０】
また図１１（ａ）は、保温シート１１１を３重とした「装置タイプＴ２」に関する温度変化である。なお、この図のうち「ＴＥＭＰ−２ｆ」は実際の計測（Ｓｔｅｐ１０３）により得られたコンクリートＣＯ表面付近（表面から５ｃｍ）の温度変化を示し、「ＴＥＭＰ−２ａ」はパラメータを仮設定して温度解析を行った（Ｓｔｅｐ１０５）コンクリートＣＯ表面付近（表面から５ｃｍ）の温度変化を示している、この図では、実測による温度変化と解析による温度変化が相当程度に一致したと判断され、装置タイプＴ２の修正熱伝達率η（パラメータ）の値が２（ｗ／ｍ２・℃）と決定された。これは、土木学会コンクリート標準示方書［設計編：標準］で定める「発泡スチロール５０ｍｍ＋シート養生」に相当する。
【００４１】
さらに図１１（ｂ）は、保温シート１１１に０．２ｍｍのアルミシート（断熱シート１１３）を重ねた「装置タイプＴ３」に関する温度変化である。なお、この図のうち「ＴＥＭＰ−３ｆ」は実際の計測（Ｓｔｅｐ１０３）により得られたコンクリートＣＯ表面付近（表面から５ｃｍ）の温度変化を示し、「ＴＥＭＰ−３ａ」はパラメータを仮設定して温度解析を行った（Ｓｔｅｐ１０５）コンクリートＣＯ表面付近（表面から５ｃｍ）の温度変化を示している、この図では、実測による温度変化と解析による温度変化が相当程度に一致したと判断され、装置タイプＴ２の修正熱伝達率η（パラメータ）の値が１．５（ｗ／ｍ２・℃）と決定された。これは、土木学会コンクリート標準示方書［設計編：標準］でも予定していないほど小さい値であり、極めて高水準の保温効果や給熱効果を期待することができるといえる。
【００４２】
（養生工程）
図１２は、本願発明の湿潤給熱養生方法のうち養生工程（Ｓｔｅｐ２００）の主な手順を示すフロー図である。この図に示すように、まずはコンクリートＣＯの要求仕様や外部環境などを勘案したうえで、適切な装置タイプを計画する（Ｓｔｅｐ２０１）このとき、計画準備工程で設定された（Ｓｔｅｐ１０１）複数種類の装置タイプの中から適宜選択するとよい。
【００４３】
装置タイプを計画すると、当該装置タイプのパラメータを用いてあらかじめ温度解析を行ってコンクリートＣＯの温度変化を求める（Ｓｔｅｐ２０２）。なおここで求められるコンクリートＣＯの温度変化のことを、便宜上ここでは「解析温度変化」ということとする。
【００４４】
ここまでの準備が整うと、組み立てられた型枠内に実際にコンクリートを打ち込み（Ｓｔｅｐ２０３）、所定期間が経過した後に型枠を取り外す（Ｓｔｅｐ２０４）。そして、Ｓｔｅｐ２０１で計画した装置タイプの湿潤給熱養生装置１００を設置する。具体的には、当該装置タイプの養生シート１１０をコンクリートＣＯ表面に敷設するとともに（Ｓｔｅｐ２０５）、吸引手段や給水手段を設置する。そして、吸引手段で養生シート１１０とコンクリートＣＯとの間を吸引し（Ｓｔｅｐ２０６）、吸引された状態の養生シート１１０とコンクリートＣＯとの間に給水手段で養生水を流下させ（Ｓｔｅｐ２０７）、さらに発熱線１４０を発熱させる（Ｓｔｅｐ２０８）。すなわち、敷設され吸引された養生シート１１０内に養生水を流下させることでコンクリートＣＯに対して湿潤養生を行い、あわせて発熱線１４０が発熱することでコンクリートＣＯに対して給熱養生を行うわけである。
【００４５】
コンクリートＣＯの養生（湿潤養生及び給熱養生）を行っている間は、あらかじめコンクリートＣＯに設置した温度計測装置（例えば熱電対）によって適宜温度計測を行うとよい（Ｓｔｅｐ２０９）。なおこの温度計測の結果得られるコンクリートＣＯの温度変化のことを、便宜上ここでは「実温度変化」ということとする。実温度変化が得られると、解析温度変化（Ｓｔｅｐ２０２）と照らし合わせ（Ｓｔｅｐ２１０）、実温度変化と解析温度変化が相当程度に一致すると判断されると（Ｓｔｅｐ２１０のＮｏ）引き続き温度計測装置の温度計測を行う。一方、実温度変化と解析温度変化が相当程度に相違すると判断されると（Ｓｔｅｐ２１０のＹｅｓ）養生仕様を変更する（Ｓｔｅｐ２１０）。なお、実温度変化と解析温度変化との一致の程度は、相関係数などを求めることで判断することもできるし、人による目視で判断することもできる。
【００４６】
実温度変化と解析温度変化が相当程度に相違すると判断され（Ｓｔｅｐ２１０のＹｅｓ）、さらに保温や給熱が必要と判断された場合は、保温シート１１１を増設（さらに重ねて設置）するか、アルミシートなど断熱シート１１３を保温シート１１１の外側に設置するとよい。一方、必要以上に保温され給熱されていると判断された場合は、複数重ねた保温シート１１１の一部を取り外すか、アルミシートなど断熱シート１１３を保温シート１１１から取り外すとよい。
【００４７】
図５に示すように２以上の配線ルートで発熱線１４０が配置されている場合は、配線ルートごとの発熱によって調整することができる。すなわち、さらに保温や給熱が必要と判断された場合は、発熱していない配線ルートの発熱線１４０を追加して発熱させ、一方、必要以上に保温され給熱されていると判断された場合は、一部の配線ルートの発熱線１４０の発熱を停止するとよい。
【産業上の利用可能性】
【００４８】
本願発明の湿潤給熱養生装置、及び湿潤給熱養生方法は、橋脚や橋台、擁壁など竪壁を有するコンクリート構造物、あるいはトンネルやボックスカルバートなど天井面を有するコンクリート構造物に特に有効に利用することができる、本願発明が、社会インフラストラクチャーを支えるコンクリート構造物の高品質化や長寿命化に資することを考えれば、産業上利用できるばかりでなく社会的にも大きな貢献を期待し得る発明といえる。
【符号の説明】
【００４９】
１００  本願発明の湿潤給熱養生装置
１１０  （湿潤給熱養生装置の）養生シート
１１１  （養生シートの）保温シート
１１２  （養生シートの）裏面シート
１１３  （養生シートの）断熱シート
１２１  （吸引手段の）吸気装置
１２２  （吸引手段の）吸気管
１３１  （給水手段の）送水装置
１３２  （給水手段の）送水管
１３３  養生水供給管
１４０  （湿潤給熱養生装置の）発熱線
ＢＴ    電源装置
ＣＯ    コンクリート
【図１】
2020200652.tif 000003
【図２】
2020200652.tif 000004
【図３】
2020200652.tif 000005
【図４】
2020200652.tif 000006
【図５】
2020200652.tif 000007
【図６】
2020200652.tif 000008
【図７】
2020200652.tif 000009
【図８】
2020200652.tif 000010
【図９】
2020200652.tif 000011
【図１０】
2020200652.tif 000012
【図１１】
2020200652.tif 000013
【図１２】
2020200652.tif 000014